(57)【要約】【課題】本発明はデジタル信号が記録されたシーケンシャルアクセス媒体を巻き戻し再生の所要時間の縮小と消費電力抑制を実現する。【解決手段】第２の音声デジタル信号のフッタ２をピックアップ（ｐ２ａ）して第２の音声デジタル信号の復号化用情報を読み取った後、音声ブロック２−Ｍへジャンプして（ｊ２ｂ）、音声ブロック２−Ｍを読み出す（ｐ２ｂ）。第２の音声デジタル信号の復号化用情報を用いて音声ブロック２−Ｍから順次遡って音声ブロック２−１まで復号化しながら巻き戻し再生する。次に、第１の音声デジタル信号のフッタ１までジャンプして（ｊ１ａ）、フッタ１を読み出し（ｐ１ａ）第１の音声デジタル信号の復号化用情報を読み取る。フッタ１から音声ブロック１−Ｎへジャンプし（ｊ１ｂ）、第１の音声デジタル信号の復号化用情報を用いて音声ブロック１−Ｎから順次遡って音声ブロック１−１まで復号化しながら巻き戻し再生する。【選択図】  図２
2004227719.tif 000002
【特許請求の範囲】
【請求項１】
デジタル信号を符号化した符号化データを生成する信号符号化部と、
前記符号化データを復号化するための復号化用情報を含むヘッダを生成するヘッダ生成部と、
前記復号化用情報を含むフッタを生成するフッタ生成部と、
前記ヘッダ、前記符号化データ及び前記フッタを結合してデジタルビットストリームを生成するビットストリーム生成部とを備えたデジタル信号記録装置。
【請求項２】
前記フッタ生成部は、前記ヘッダを複製してフッタを生成することを特徴とする請求項１記載のデジタル信号記録装置。
【請求項３】
デジタル信号を符号化した符号化データを生成する信号符号化部と、
前記符号化データを復号化するための復号化用情報と、前記復号化用情報以外の前記デジタル信号の情報を含んだ非復号化用情報とを備えたヘッダを生成するヘッダ生成部と、
前記復号化用情報のみのフッタを生成するフッタ生成部と、
前記ヘッダ、前記符号化データ及び前記フッタを結合してデジタルビットストリームを生成するビットストリーム生成部とを備えたデジタル信号記録装置。
【請求項４】
前記フッタ生成部は、複製した前記ヘッダの情報の順番を逆順に並び替えたフッタを生成することを特徴とする請求項１記載のデジタル信号記録装置。
【請求項５】
前記フッタ生成部は、前記復号化用情報の順番を逆順に並べ替えたフッタを生成することを特徴とする請求項３記載のデジタル信号記録装置。
【請求項６】
前記ビットストリーム生成部は、第１列を前記ヘッダ、前記第１列に続く第２列を前記符号化データ及び前記第２列に続く第３列を前記フッタに結合したデジタルビットストリームを生成することを特徴とする請求項１記載のデジタル信号記録装置。
【請求項７】
デジタル信号を符号化した符号化データの末尾に前記符号化データを復号化するための復号化用情報を含んだフッタが配置されたデジタルデータを読み出す記録媒体読出部と、
前記フッタを解析して前記復号化用情報を読み取るフッタ解析部と、
前記復号化用情報によって前記符号化データの末尾からブロック毎に復号化するデータ復号化部とを備えたデジタル信号再生装置。
【請求項８】
第１のデジタル信号を符号化した第１の符号化データの末尾に前記第１の符号化データを復号化するための第１の復号化用情報を含んだ第１のフッタが配置された第１のデジタルデータと、前記第１のデジタルデータの次に配置され、第２のデジタル信号を符号化した第２の符号化データの末尾に前記第２の符号化データを復号化するための第２の復号化用情報を含んだ第２のフッタが配置された第２のデジタルデータとを備えたデジタルデータを読み出す手段と、
前記第２のフッタを解析して前記第２の復号化用情報を読み取る手段と、
前記第２の復号化用情報によって前記第２の符号化データの末尾からブロック毎に復号化する手段と、
前記第１のフッタを解析して前記第１の復号化用情報を読み取る手段と、
前記第１の復号化用情報によって前記第１の符号化データの末尾からブロック毎に復号化する手段とを備えたデジタル信号再生装置。
【請求項９】
デジタル信号を符号化した符号化データの先頭に前記符号化データを復号化するための復号化用情報を含んだヘッダと、末尾に前記復号化用情報を含んだフッタとを配置されたデジタル信号を読み出す手段と、
前記ヘッダを解析して前記復号化用情報を読み出すヘッダ解析手段と、
前記フッタを解析して前記復号化用情報を読み出すフッタ解析手段と、
前記ヘッダ解析手段と前記フッタ解析手段のうち１を選択する手段と、
前記復号化用情報によって前記符号化データを符号化する手段とを備えたデジタル信号再生装置。
【請求項１０】
第１列に配列され、復号化用情報を含むヘッダと、
前記第１列に続く第２列に配列され、前記復号化用情報によって復号化可能な符号化データと、
前記第２列に続く第３列に配列され、前記復号化用情報を含むフッタとを含む情報が記録された記録媒体。
【請求項１１】
前記フッタは、前記ヘッダと同一情報であることを特徴とする請求項１０記載の記録媒体。
【請求項１２】
前記フッタは、前記ヘッダの情報の順番を逆順に並び替えた情報であることを特徴とする請求項１０記載の記録媒体。
【発明の詳細な説明】
【０００１】
【発明の属する技術分野】
本発明は、デジタル信号を符号化し記録媒体に記録するデジタル信号記録装置、符号化されたデジタル信号を復号化するデジタル信号再生装置及びその記録媒体に関する。
【０００２】
【従来の技術】
音声データや映像データをデジタル信号としてＣＤ−ＲＯＭ等の記録媒体に記録する場合、大きなデータを限られた容量内に記録するために、そのデジタル信号は符号化される。
【０００３】
音声データ記録装置の構成の一例を図８に示す。記録するデジタル信号はヘッダ生成部１０１と音声データ符号化１０２に入力される。
【０００４】
ヘッダ生成部１０１では、入力されたデジタル信号の曲名等の曲情報や符号化されたデジタル信号を復号化し再生する際に必要なサンプリング周波数、ビットレート、チャンネル数や符号化パラメータ等の情報（以下、「復号化用情報」という。）をヘッダとして生成する。
【０００５】
また、音声データ符号化部１０２では、入力されたデジタル信号を符号化する処理を行っている。
【０００６】
生成されたヘッダと符号化された音声データはビットストリーム生成部１０３に入力される。ビットストリーム生成部１０３では、例えば図９に示すようなＭＰＥＧ（Ｍｏｖｉｎｇ  Ｐｉｃｔｕｒｅ  Ｅｘｐｅｒｔｓ  Ｇｒｏｕｐ）２  ＡＡＣ（Ａｄｖａｎｃｅｄ  Ａｕｄｉｏ  Ｃｏｄｉｎｇ）規格の音声ビットストリームを生成し、この音声ビットストリームをＣＤ−ＲＯＭ等の記録媒体１０４に記録する。
【０００７】
また、このように符号化された音声データ（音声ビットストリーム）が記録された記録媒体１０４を再生するためには、復号化する必要がある。図１０に示す音声データ再生装置では、音声ビットストリームが記録されたＣＤ−ＲＯＭ１０４をＣＤ−ＲＯＭ読出し部１０５で読出し、読み出した音声ビットストリームはヘッダ解析部１０６及び音声データ復号部１０７に入力される。
【０００８】
ヘッダ解析部１０６では、音声ビットストリームの各曲の先頭に配置されているヘッダから復号化用情報を解析する。
【０００９】
音声データ復号部１０７では、解析された復号化用情報によって符号化された音声データを復号化しながらＣＤ−ＲＯＭ１０４に記録された音声デジタル信号を再生する。
【００１０】
符号化された音声デジタル信号が記録されたＣＤ−ＲＯＭ１０４を順方向に再生する場合、先ずヘッダの復号化用情報を読み取り、この復号化用情報によってブロック１−１からブロック１−Ｎの音声ビットストリームを順次復号化しながら再生している。
【００１１】
また、音声ビットストリームを後ろから逆方向に巻き戻しながら再生（以下、「巻き戻し再生」という。）する際は、第２の音声デジタル信号ではブロック２−Ｍからブロック２−１の音声データを順次復号化しながら逆方向に再生する（例えば、特許文献１及び特許文献２参照。）。
【００１２】
【特許文献１】
特開２０００−６７５２０号公報（第３図）
【特許文献２】
特開平８−１８１９４７号公報（第６図）
【００１３】
【発明が解決しようとする課題】
このように符号化された音声デジタル信号を再生する場合は、符号化された音声デジタル信号毎に配置されたヘッダに書き込まれた復号化用情報を先に読み出し、この復号化用情報によって音声デジタル信号を復号化しながら再生する。
【００１４】
したがって、図９のように第２の音声デジタル信号から巻き戻し再生する場合、一旦、第２の音声デジタル信号の先頭に位置するヘッダ２を読み取った（ｐ２ａ）後、第２の音声デジタル信号の末尾に位置するブロック２−ＭにＣＤ−ＲＯＭ媒体読み出しピックアップ（以下、単に「ピックアップ」という。）を移動（ｊ２ｂ）する。続けてブロック２−Ｍからブロック２−Ｍ−１にピックアップを移動（ｊ２ｃ）と逆方向に順次復号化しながらピックアップを移動する。
【００１５】
更に、第２の音声デジタル信号を全て巻き戻し再生した後、続けて第１の音声デジタル信号の巻き戻し再生をする場合は、第２の音声デジタル信号のブロック２−１から第１の音声デジタル信号の先頭に位置するヘッダ１にピックアップを移動（ｊ１ａ）して、第１の音声デジタル信号の復号化用情報を読み取る。ヘッダ１から第１の音声デジタル信号の末尾に位置するブロック１−Ｎにピックアップを移動（ｊ１ｂ）する。続けてブロック１−Ｎからブロック１−Ｎ−１にピックアップを移動（ｊ１ｃ）と逆方向に順次復号化しながらピックアップを移動する。
【００１６】
このように、図９に示すような符号化された音声デジタル信号が書き込まれたＣＤ−ＲＯＭ媒体１０４を巻き戻し再生する場合、ｊ２ｂやｊ１ａ等のようにピックアップの移動量が大きくなる。
【００１７】
一般にＣＤ−ＲＯＭ媒体のランダムアクセスには所要時間がかかる。よって、ピックアップの移動量が大きく、また、移動回数が多くなると、巻き戻し再生開始までの所要時間が長くなってしまう。
【００１８】
これは、ＣＤ−ＲＯＭ媒体に限らず磁気テープ媒体等のシーケンシャルアクセスが前提の媒体にも同様である。
【００１９】
また、ピックアップ駆動には大きな電力が必要なので、移動量が大きく、移動回数が多い巻き戻し再生の消費電力は大きくなる。これは特に携帯型音声再生装置においては、電池寿命を縮める要因となってしまい好ましくない。
【００２０】
そこで、本発明はシーケンシャルアクセス媒体を巻き戻し再生する際のピックアップ移動量を低減させ、巻き戻し再生の所要時間の縮小と消費電力を抑制することを実現するデジタル信号記録装置、デジタル信号再生装置及び記録媒体を提供することを目的とする。
【００２１】
【課題を解決するための手段】
上記課題を解決するために本発明は、デジタル信号を符号化した符号化データを生成する信号符号化部と、前記符号化データを復号化するための復号化用情報を含むヘッダを生成するヘッダ生成部と、前記復号化用情報を含むフッタを生成するフッタ生成部と、前記ヘッダ、前記符号化データ及び前記フッタを結合してデジタルビットストリームを生成するビットストリーム生成部とを備えたデジタル信号記録装置を提供する。
【００２２】
また、デジタル信号を符号化した符号化データを生成する信号符号化部と、前記符号化データを復号化するための復号化用情報と、前記復号化用情報以外の前記デジタル信号の情報を含んだ非復号化用情報とを備えたヘッダを生成するヘッダ生成部と、前記復号化用情報のみのフッタを生成するフッタ生成部と、前記ヘッダ、前記符号化データ及び前記フッタを結合してデジタルビットストリームを生成するビットストリーム生成部とを備えたデジタル信号記録装置を提供する。
【００２３】
また、第１列に配列され、復号化用情報を含むヘッダと、前記第１列に続く第２列に配列され、前記復号化用情報によって復号化可能な符号化データと、前記第２列に続く第３列に配列され、前記復号化用情報を含むフッタとを含む情報が記録された記録媒体を提供する。
【００２４】
また、デジタル信号を符号化した符号化データの末尾に前記符号化データを復号化するための復号化用情報を含んだフッタが配置されたデジタルデータを読み出す記録媒体読出部と、前記フッタを解析して前記復号化用情報を読み取るフッタ解析部と、前記復号化用情報によって前記符号化データの末尾からブロック毎に復号化するデータ復号化部とを備えたデジタル信号再生装置を提供する。
【００２５】
また、第１のデジタル信号を符号化した第１の符号化データの末尾に前記第１の符号化データを復号化するための第１の復号化用情報を含んだ第１のフッタが配置された第１のデジタルデータと、前記第１のデジタルデータの次に配置され、第２のデジタル信号を符号化した第２の符号化データの末尾に前記第２の符号化データを復号化するための第２の復号化用情報を含んだ第２のフッタが配置された第２のデジタルデータとを備えたデジタルデータを読み出す手段と、前記第２のフッタを解析して前記第２の復号化用情報を読み取る手段と、前記第２の復号化用情報によって前記第２の符号化データの末尾からブロック毎に復号化する手段と、前記第１のフッタを解析して前記第１の復号化用情報を読み取る手段と、前記第１の復号化用情報によって前記第１の符号化データの末尾からブロック毎に復号化する手段とを備えたデジタル信号再生装置を提供する。
【００２６】
また、デジタル信号を符号化した符号化データの先頭に前記符号化データを復号化するための復号化用情報を含んだヘッダと、末尾に前記復号化用情報を含んだフッタとを配置されたデジタル信号を読み出す手段と、前記ヘッダを解析して前記復号化用情報を読み出すヘッダ解析手段と、前記フッタを解析して前記復号化用情報を読み出すフッタ解析手段と、前記ヘッダ解析手段と前記フッタ解析手段のうち１を選択する手段と、前記復号化用情報によって前記符号化データを符号化する手段とを備えたデジタル信号再生装置を提供する。
【００２７】
上記解決手段によって、符号化データを巻き戻し再生する際、符号化データの末尾に配置されたフッタを解析することによって再生に必要な符号化データの復号化用情報を読み取ることができるので、ピックアップの移動量を低減することができ、延いてはデジタル信号再生装置の巻き戻し再生の所要時間の縮小と消費電力を抑制することができる。
【００２８】
【発明の実施の形態】
本発明の実施形態について図を参照しながら説明する。
【００２９】
［第１の実施形態］本発明の音声データ記録装置の構成の一例を図１に示す。記録する音声デジタル信号はヘッダ生成部１と音声データ符号化部２に入力される。
【００３０】
ヘッダ生成部１では、入力された音声デジタル信号の曲名等の復号化用情報以外の曲情報（以下、「非復号化用情報」という。）や復号化用情報をヘッダとして生成する。
【００３１】
生成されたヘッダはフッタ情報生成部３に入力され、フッタ情報生成部３内のヘッダ情報複製部３ａによってヘッダの情報を複製し、複製したヘッダ情報をそのままフッタに書き込んでフッタを生成する。
【００３２】
また、音声データ符号化部２では、入力されたデジタル信号を符号化する処理を行っている。ここで、この符号化処理はヘッダやフッタ以外の正味の音声情報のみを符号化している。
【００３３】
生成されたヘッダ、フッタ及び符号化された音声データはビットストリーム生成部４に入力され、図２に示すようなＭＰＥＧ２  ＡＡＣ規格の音声ビットストリームを生成し、この音声ビットストリームをＣＤ−ＲＯＭ等の記録媒体５に記録する。
【００３４】
図２に示すように音声ビットストリームは、各音声デジタル信号の先頭には、復号化用情報が含まれたヘッダが配置されている。また、各音声デジタル信号の末尾には、ヘッダを複製したフッタが配置されている。したがって、各ヘッダと各フッタは同じ情報が書き込まれている。各ヘッダとフッタの間には符号化された音声データが第１の曲はＮ分割（Ｎは正の整数）、第２の曲はＭ分割（Ｍは正の整数）され、ブロック毎に格納されている。
【００３５】
また、このように符号化された音声データ（音声ビットストリーム）が記録されたＣＤ−ＲＯＭ等の記録媒体を再生するためには、復号化する必要がある。図３に示す本発明の音声データ再生装置では、音声ビットストリームが記録されたＣＤ−ＲＯＭ５をＣＤ−ＲＯＭ読出し部６で読み出す。読み出した音声ビットストリームは切換えスイッチ（例えば、デマルチプレクサ）７と音声データ復号部８に入力される。
【００３６】
切換えスイッチ７では再生方向決定信号によってヘッダ解析部９若しくはフッタ解析部１０へ入力される。巻き戻し再生の場合、音声ビットストリームはフッタ解析部１０に入力され、音声ビットストリームの各曲の末尾に位置されているフッタから復号化用情報を解析する。
【００３７】
音声データ復号化部８では解析された復号化用情報を元に符号化された音声データを復号化しながらＣＤ−ＲＯＭ５に記録された音声デジタル信号を再生する。
【００３８】
次に、図２の音声ビットストリームを巻き戻し再生する場合のピックアップの移動について説明する。
【００３９】
先ず、第２の音声デジタル信号の末尾に位置するフッタ２を読み出して（ｐ２ａ）、第２の音声デジタル信号の復号化用情報を読み取る。続けてフッタ２の１つ手前の音声データブロック２−Ｍを読み出す（ｐ２ｂ）。この場合、ピックアップの移動量はフッタ２の末尾からブロック２−Ｍの先頭まで移動（ｊ２ｂ）すればよい。すなわち、フッタ２とブロック２−Ｍのデータ分だけ移動すればよいので、移動量は図９に示す従来例と比較して非常に少なくなる。
【００４０】
引き続き、読み取った第２の音声デジタル信号の復号化用情報を用いてブロック２−Ｍから順次遡ってブロック２−１まで音声ビットストリームを復号化しながら巻き戻し再生する。
【００４１】
ブロック２−１まで再生すると、第２の音声デジタル信号の巻き戻し再生は終了する。
【００４２】
次に、第１の音声デジタル信号の巻き戻し再生を行う。第２の音声デジタル信号のブロック２−１の末尾から、第１の音声デジタル信号の末尾に位置するフッタ１の先頭に移動（ｊ１ａ）して、第１の音声デジタル信号の復号化用情報を読み取る（ｐ１ａ）。第２の音声デジタル信号の音声データの先頭であるブロック２−１から第１の音声デジタル信号の末尾のフッタ１まで移動（ｊ１ａ）すればよいので、この場合も移動量は少なくなる。
【００４３】
第１の音声デジタル信号の巻き戻し再生も前述した第２の音声デジタル信号と同様に、読み出した第１の音声デジタル信号の復号化用情報を用いてブロック１−Ｎから順次遡ってブロック１−１まで復号化しながら巻き戻し再生する。
【００４４】
なお、フッタに書き込まれている情報はヘッダを複製して全く同じであるとしたが、フッタには音声データを復号化する復号化用情報のみが書き込まれていれば良い。例えば、図４に示す音声データ記録装置のように、フッタ情報生成部３内に必要情報抽出部３ｂを設けることによって実現することが可能である。ヘッダ情報複製部３ａにてヘッダ情報を複製した後、必要情報抽出部３ｂで非復号化用情報を取り除き、復号化用情報のみを取り出してフッタを生成する。
【００４５】
このように復号化に必要な復号化用情報のみのフッタを生成することによって、フッタのデータ長は短くすることができる。
【００４６】
［第２の実施形態］本発明の第２の実施形態の音声データ記録装置の構成の一例を図５に示す。記録する音声デジタル信号はヘッダ生成部１と音声データ符号化部２に入力される。
【００４７】
ヘッダ生成部１では、入力された音声デジタル信号の曲名等の非復号化用情報や復号化用情報をヘッダとして生成する。
【００４８】
生成されたヘッダはフッタ情報生成部３に入力される。フッタ情報生成部３には、ヘッダ情報複製部３ａと並べ替え部３ｃとから構成されている。ヘッダ情報複製部３では、ヘッダの情報を複製する。
【００４９】
次に、複製されたヘッダの情報を並べ替え部３ｃでヘッダ情報の配列を逆順に並べ替える。例えば、図５のようにヘッダの情報が情報１を先頭に情報４を末尾として順番に配列されている場合、並べ替え部によって情報４が先頭で情報１が末尾に配列される。したがって、ヘッダ情報とは同じ情報量を有するが、逆順に配列されたフッタが生成される。
【００５０】
音声データ符号化部２及びビットストリーム生成部の機能は第１の実施形態と同じなので説明を省略する。
【００５１】
また第１の実施形態と同様に、各ヘッダとフッタの間には符号化された音声データが第１の曲はＮ分割（Ｎは正の整数）、第２の曲はＭ分割（Ｍは正の整数）され、ブロック毎に格納されている。
【００５２】
また、このように符号化された音声データ（音声ビットストリーム）が記録された記録媒体を再生する音声データ再生装置は、第１の実施形態で説明した図３の音声データ再生装置の構成と同様なので、説明を省略する。
【００５３】
次に、図６の音声ビットストリームを巻き戻し再生する場合のピックアップの移動について説明する。
【００５４】
先ず、第２の音声デジタル信号の末尾に位置するフッタ２をフッタ２の末尾から先頭に向かって逆方向に読み出して（ｐ２ａ）、第２の音声デジタル信号の復号化用情報を読み取る。
【００５５】
続けてフッタ２の１つ手前の音声データブロック２−Ｍを読み出す（ｐ２ｂ）。この場合、ピックアップの移動量はフッタ２の先頭からブロック２−Ｍの先頭まで移動（ｊ２ｂ）すればよい。すなわち、ブロック２−Ｍのデータ分だけ移動すればよいので、移動量は図９に示す従来例と比較して非常に少なくなる。
【００５６】
引き続き、読み出した第２の音声デジタル信号の復号化用情報を用いてブロック２−Ｍから順次遡ってブロック２−１まで第２の音声デジタル信号を復号化しながら巻き戻し再生する。
【００５７】
ブロック２−１まで再生すると、第２の音声デジタル信号の巻き戻し再生は終了する。
【００５８】
次に、第１の音声デジタル信号の巻き戻し再生を行う。第２の音声デジタル信号のブロック２−１の末尾から、第１の音声デジタル信号の末尾に位置するフッタ１の末尾に移動（ｊ１ａ）して、第１の音声デジタル信号の復号化用情報を読み取る（ｐ１ａ）。第２の音声デジタル信号の音声データの先頭であるブロック２−１から第１の音声デジタル信号の末尾のフッタ１まで移動すればよいので、この場合も移動量は少なくなる。
【００５９】
更に、第１の実施形態では第２の音声デジタル信号巻き戻し再生終了から第１の音声デジタル信号巻き戻し再生開始のため、フッタ１の先頭までピックアップを移動しなくてはいけなかった。これは、フッタ１の末尾にフッタ１のデータ長（Ｌｆ１）の情報を書き込んで、一旦このフッタ１のデータ長（Ｌｆ１）の情報を読み込んだ後、フッタ１の末尾からフッタ１の先頭までピックアップ移動をしなければいけない。
【００６０】
しかし、本実施形態ではフッタ１の末尾から逆方向に順次データを読み取ればよいので、フッタ１の先頭にピックアップ移動する必要もなく、またフッタ１のデータ長（Ｌｆ１）の情報を末尾に書き込むことも不要となる。
【００６１】
第１の音声デジタル信号の巻き戻し再生も前述した第２の音声デジタル信号と同様に、読み出した第１の音声デジタル信号を用いて、ブロック１−Ｎから順次遡ってブロック１−１まで復号化しながら巻き戻し再生する。
【００６２】
なお、第１の実施形態と同様にフッタに書き込まれている情報はヘッダを複製して全く同じであるとしたが、フッタには音声データを復号化する復号化用情報のみが書き込まれていれば良い。例えば、図７に示す音声データ再生装置のように、フッタ情報生成部３内に必要情報抽出部３ｂを設けることによって実現することが可能である。ヘッダ情報複製部３ａにてヘッダ情報を複製した後、必要情報抽出部３ｂで非復号化用情報を取り除き、復号化用情報のみを取り出し、更に並べ替え部３ｃで情報の配列を並び替えてフッタを生成する。
【００６３】
上記実施形態ではデジタル信号に音声データを用い、圧縮符号化方式はＭＰＥＧ２  ＡＡＣ方式としたがこれに限らず、各曲の符号化データの先頭にこの符号化データを復号化するために必要な復号化用情報を含んだヘッダを配置する他の符号化方式、例えばＭＰＥＧ４  ＡＡＣ等にも本発明を実施することができる。
【００６４】
また、デジタル信号は音声データに限らず映像データ等のデジタルデータであってもよい。
【００６５】
【発明の効果】
以上詳述したように本発明は、シーケンシャルアクセス媒体を巻き戻し再生する際のピックアップ移動量を低減させ、巻き戻し再生の所要時間の縮小と消費電力を抑制することを実現する記録装置、再生装置及び記録媒体を提供することができる。
【図面の簡単な説明】
【図１】本発明の第１の実施形態の音声データ記録装置の一例を示した構成図である。
【図２】図１の音声データ記録装置を用いて記録したＭＰＥＧ２  ＡＡＣ規格の音声ビットストリームを示した図である。
【図３】本発明の第１の実施形態の音声データ再生装置の一例を示した構成図である。
【図４】本発明の第１の実施形態の音声データ記録装置の変形例を示した構成図である。
【図５】本発明の第２の実施形態の音声データ記録装置の一例を示した構成図である。
【図６】図６の音声データ記録装置を用いて記録したＭＰＥＧ２  ＡＡＣ規格の音声ビットストリームを示した図である。
【図７】本発明の第２の実施形態の音声データ再生装置の一例を示した構成図である。
【図８】従来技術の音声データ記録装置を示した構成図である。
【図９】図８の音声データ記録装置を用いて記録したＭＰＥＧ２  ＡＡＣ規格の音声ビットストリームを示した図である。
【図１０】従来技術の音声データ再生装置を示した構成図である。
【符号の説明】
１・・・ヘッダ生成部
２・・・音声データ符号化部
３・・・フッタ情報生成部
３ａ・・・ヘッダ情報複製部
３ｂ・・・必要情報抽出部
３ｃ・・・並べ替え部
４・・・ビットストリーム生成部
５・・・記録媒体（ＣＤ−ＲＯＭ）
６・・・ＣＤ−ＲＯＭ読出部
７・・・切換えスイッチ
８・・・音声データ復号化部
９・・・ヘッダ解析部
１０・・・フッタ解析部
【図１】
2004227719.tif 000003
【図２】
2004227719.tif 000004
【図３】
2004227719.tif 000005
【図４】
2004227719.tif 000006
【図５】
2004227719.tif 000007
【図６】
2004227719.tif 000008
【図７】
2004227719.tif 000009
【図８】
2004227719.tif 000010
【図９】
2004227719.tif 000011
【図１０】
2004227719.tif 000012